(57)【特許請求の範囲】
【請求項１】
底部と底部の一方の相対する土手部にヒンジ連結された一方の相対する側壁と底部のもう一方の相対する土手部にヒンジ連結されたもう一方の相対する側壁とから構成されている折り畳みコンテナーにおいて、底部に配設された雌ヒンジ部材の係止フックには、水平側壁持ち上がり防止用係止突起が形成されており、水平状態の側壁が持ち上げられた際には、側壁に配設された雄ヒンジ部材の係止ブロック部が、水平側壁持ち上がり防止用係止突起に当接し、また、垂直状態の側壁が持ち上げられた際には、側壁に配設された雄ヒンジ部材の係止ブロック部が、底部に配設された雌ヒンジ部材の係止フックに当接するように構成されていることを特徴とする折り畳みコンテナー。
【発明の詳細な説明】
【技術分野】
【０００１】
本発明は、底部と、底部の一方の相対する土手部にヒンジ連結された一方の相対する側壁と、底部のもう一方の相対する土手部にヒンジ連結されたもう一方の相対する側壁とから構成されている折り畳みコンテナーに関するものであり、箱型に組み立てられた状態から、一方の相対する側壁を底部に重なるように倒し、次いで、もう一方の相対する側壁を、先に倒された一方の相対する側壁に重なるように倒すことにより、折り畳むことができるように構成されている。
【背景技術】
【０００２】
側壁に形成された雄ヒンジ部材が、底部の土手部に形成された雌ヒンジ部材に対して、上下方向に自由に移動できないタイプ、換言すれば、雄ヒンジ部材と雌ヒンジ部材とによるヒンジ連結部が、上下方向に、実質的に移動できないタイプの折り畳みコンテナーにおいて、一方の相対する側壁を倒した際に、側壁の先端部が互いに重なるように構成されている場合には、先に倒された側壁の上に重ねられる側壁が、ヒンジ連結部を支点として、傾斜して倒されることになる。このように、側壁が、傾斜して倒されるように構成された折り畳みコンテナーにおいては、折り畳まれた状態における折り畳みコンテナーの高さが高くなり、従って、折り畳みコンテナーの収容効率が低下することになる。
【０００３】
上述した課題を解決するために、底部の土手部に形成された雌ヒンジ部の凹部の深さを深くして、底部の土手部に形成された雌ヒンジ部に対して、側壁に形成された雄ヒンジ部材が、雌ヒンジ部の凹部内を、上下方向に自由に移動できるようにしたタイプ、換言すれば、雄ヒンジ部材と雌ヒンジ部材とによるヒンジ連結部が、上下方向に、移動可能なタイプの折り畳みコンテナーが知られているが、このようなタイプの折り畳みコンテナーが箱型に組み立てられた際には、ヒンジ連結部が、上下方向に移動可能であるために、作業者が、側壁を持って、箱型に組み立てられた折り畳みコンテナーを持ち上げようとすると、側壁が、底部から持ち上がるという問題があった。
【０００４】
上述した課題を解決するために、本出願人は、本出願人の先の出願である特許文献１において、側壁に形成された雄ヒンジ部材に、側壁の回動支点となるヒンジブロックと箱型に組み立てられた状態における側壁の持ち上がりを阻止するための係合ブロックとを形成した折り畳みコンテナーを提案した。
【０００５】
【特許文献１】特開２００６−１８８２７２号公報
【発明の開示】
【発明が解決しようとする課題】
【０００６】
上述した折り畳みコンテナーにおいては、側壁に形成された雄ヒンジ部材を構成する支持片の下部にヒンジブロックが形成されており、また、支持片の上部に、持ち上がりを阻止するための係合ブロックが形成されているために、倒された状態の側壁を、垂直方向に立てる際に、係合ブロックが、底部の土手部に当接したり、或いは、土手部に乗り上げる等して、倒された状態の側壁を、迅速に、且つ、確実に、略垂直に立てることができないという問題があった。
【０００７】
また、雄ヒンジ部材を構成する支持片に、ヒンジブロックと係合ブロックとを、支持片の上下に、それぞれ形成するために、支持片を長くしなければならず、従って、支持片、ひいては、雄ヒンジ部材が損傷し易くなるという問題があった。
【０００８】
更には、雄ヒンジ部材を構成する支持片には、ヒンジブロックと係合ブロックとが形成されているために、側壁を成形するための金型が複雑になり、従って、金型のコストが上昇し、ひいては、折り畳みコンテナーの製造コストが上昇するという問題があった。
【０００９】
本発明の目的は、上述した従来の折り畳みコンテナーが有する課題を解決することにある。
【課題を解決するための手段】
【００１０】
本発明は、上述した目的を達成するために、底部と底部の一方の相対する土手部にヒンジ連結された一方の相対する側壁と底部のもう一方の相対する土手部にヒンジ連結されたもう一方の相対する側壁とから構成されている折り畳みコンテナーにおいて、底部に配設された雌ヒンジ部材の係止フックに、水平側壁持ち上がり防止用係止突起を形成し、水平状態の側壁が持ち上げられた際には、側壁に配設された雄ヒンジ部材の係止ブロック部が、水平側壁持ち上がり防止用係止突起に当接し、また、垂直状態の側壁が持ち上げられた際には、側壁に配設された雄ヒンジ部材の係止ブロック部が、底部に配設された雌ヒンジ部材の係止フックに当接するように構成したものである。
【発明の効果】
【００１１】
底部に配設された雌ヒンジ部材の係止フックに、水平側壁持ち上がり防止用係止突起を形成し、水平状態の側壁が持ち上げられた際には、側壁に配設された雄ヒンジ部材の係止ブロック部が、水平側壁持ち上がり防止用係止突起に当接し、また、垂直状態の側壁が持ち上げられた際には、側壁に配設された雄ヒンジ部材の係止ブロック部が、底部に配設された雌ヒンジ部材の係止フックに当接するように構成したので、上述した従来の折り畳みコンテナーのように、倒された状態の側壁を、垂直方向に立てる際に、係合ブロックが、底部の土手部に当接したり、或いは、土手部に乗り上げるようなことがなく、従って、倒された状態の側壁を、迅速に、且つ、確実に、略垂直に立てることができる。
【００１２】
また、側壁に配設された雄ヒンジ部材には、上述した特許文献１に記載されているような係合ブロックが形成されていないので、支持ブロックの側壁の下端フランジからの長さを短くすることができ、従って、支持ブロック、ひいては、雄ヒンジ部材が損傷するようなことを防止することができる。
【００１３】
更に、側壁に配設された雄ヒンジ部材の支持ブロックには、上述した特許文献１に記載されているような係合ブロックが形成されていないので、側壁を成形するための金型の製造コストを低減することができる。
【実施例】
【００１４】
以下に、本発明の実施例について説明するが、本発明の趣旨を越えない限り、何ら、本実施例に限定されるものではない。
【００１５】
先ず最初に、図１〜図４を用いて、本発明の折り畳みコンテナーの全体構成について説明する。
【００１６】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、低く形成されている。
【００１７】
図３に示されているように、底部１を構成する長辺側土手部１ａには、複数の後述する雌ヒンジ部材Ｈ１が配設されており、また、同様に、底部１を構成する短辺側土手部１ｂにも、複数の雌ヒンジ部材Ｈ１が配設されている。
【００１８】
２は、長側壁であり、図４に示されているように、長側壁２の下端フランジ２ａの裏面には、底部１の長辺側土手部１ａに配設された雌ヒンジ部材Ｈ１に対応して、後述する雄ヒンジ部材Ｈ２が配設されている。３は、短側壁であり、短側壁３の下端フランジ３ａの裏面にも、底部１の短側壁土手部１ｂに配設された雌ヒンジ部材Ｈ１に対応して、雄ヒンジ部材Ｈ２が配設されている。
【００１９】
長側壁２の下端フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下端フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【００２０】
図２に示されているように、折り畳まれた状態から、図１に示されているように、箱型に組み立てるには、先ず最初に、水平状態の短側壁３を、略垂直に立て、次いで、長側壁２を、略垂直に立てることにより、折り畳みコンテナーが、箱型に組み立てられることになる。また、箱型に組み立てられた折り畳みコンテナーを、折り畳むには、先ず最初に、長側壁２を底部１に重なるように倒し、次いで、短側壁３を、先に倒された長側壁２に重なるように倒すことにより、折り畳みコンテナーが、折り畳まれることになる。
【００２１】
折り畳まれた状態においては、長側壁２の先端部が、互いに部分的に重なり合うように構成されており、同様に、短側壁３の先端部も、互いに部分的に重なり合うように構成されている。
【００２２】
次に、図５及び図６を用いて、底部１の長辺側土手部１ａ及び短辺側土手部１ｂに配設されている雌ヒンジ部材Ｈ１について説明する。以下においては、長辺側土手部１ａに配設されている雌ヒンジ部材Ｈ１について説明し、短辺側土手部１ｂに配設されている雌ヒンジ部材Ｈ１については、実質的に同じであるので、その詳細な説明する省略する。
【００２３】
雌ヒンジ部材Ｈ１は、後述する、長側壁２に配設された雄ヒンジ部材Ｈ２が嵌合可能な、平面形状が長方形の縦孔４を有しており、この縦孔４は、長辺側土手部１ａの外壁１ａ１を上方に延在することにより形成された外側垂直壁４ａと、長辺側土手部１ａの内壁１ａ２を上方に延在することにより形成された内側垂直壁４ｂと、外側垂直壁４ａと内側垂直壁４ｂとを連結する相対する垂直短壁４ｃとにより囲まれている。また、長辺側土手部１ａの内壁１ａ２及び内側垂直壁４ｂには、縦孔４に連接されているとともに、内側垂直壁４ｂの上端から底部１の底板１ｃまで、或いは、底板１ｃ付近まで延在する切欠き凹部５が形成されている。
【００２４】
切欠き凹部５を形成する相対する側端面５ａの上端部には、外側垂直壁４ａと平行に、フック支持突片６が形成されており、フック支持突片６の内面（外側垂直壁４ａと対向する面）には、ブロック状の係止フック７が突設されている。また、外側垂直壁４ａと相対する係止フック７の上部角部には、庇部７ａ１を有する係止突起７ａが形成されている。この係止突起７ａは、後述するように、水平状態に折り畳まれた状態の長側壁２の持ち上がりを防止するためのものであり、以下、この係止突起７ａを、便宜的に、水平側壁持ち上がり防止用係止突起と称する。
【００２５】
上述した縦孔４、切欠き凹部５及び係止フック７等により、雌ヒンジ部材Ｈ１が構成されている。
【００２６】
次に、図７及び図８を用いて、長側壁２に配設されている雄ヒンジ部材Ｈ２について説明する。なお、短側壁３にも、同様の雄ヒンジ部材Ｈ２が配設されている。
【００２７】
長側壁２の板状部２ｂに垂直な下端フランジ２ａの裏面には、雄ヒンジ部材Ｈ２が配設されており、雄ヒンジ部材Ｈ２は、下端フランジ２ａの裏面に垂設された支持ブロック８を有している。
【００２８】
長側壁２の板状部２ｂに対して垂直な、支持ブロック８の相対する側面８ａの下端部には、該側面８ａに対して垂直な係止ブロック部９が形成されており、この係止ブロック部９には、支持ブロック８の内面（箱型に組み立てられた折り畳みコンテナーの内部側に位置する面）８ｂを越える係止膨出部９ａが形成されている。
【００２９】
上述した長側壁２の下端フランジ２ａに配設された支持ブロック８と係止ブロック部９とにより、雄ヒンジ部材Ｈ２が構成されている。
【００３０】
上述した特許文献１に記載されているように．長側壁２の下端フランジ２ａに配設された雄ヒンジ部材Ｈ２と底部１の長辺側土手部１ａに配設された雌ヒンジ部材Ｈ１とを連結とを連結することにより、長側壁２が、底部１にヒンジ連結され、また、短側壁３の下端フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されるように構成されている。
【００３１】
次に、図９〜図１１を用いて、折り畳みコンテナーが、図２に示されているように、折り畳まれた状態における、底部１に配設された雌ヒンジ部材Ｈ１と長側壁２に配設された雄ヒンジ部材Ｈ２とのヒンジ連結部、及び、折り畳みコンテナーが、図１に示されているように、箱型に組み立てられた状態における、底部１に配設されたヒンジ部材Ｈ１と長側壁２に配設された雄ヒンジ部材Ｈ２とのヒンジ連結部について説明する。
【００３２】
図９に示されているように、折り畳みコンテナーが折り畳まれ、長側壁２が、略水平に倒された状態においては、後から倒された長側壁２に配設された雄ヒンジ部材Ｈ２を構成する係止ブロック９の長側壁２の下端フランジ２ａと相対する天面９ｂと、折り畳みコンテナーが箱型に組み立てられた際に、底部１に配設されたヒンジ部材Ｈ１の縦孔４を形成する外側垂直壁４ａと相対する外側垂直面９ｃとのより形成される上部外側角部９ｄが、底部１に配設されたヒンジ部材Ｈ１の係止フック７に形成された水平側壁持ち上がり防止用係止突起７ａの庇部７ａ１に当接、或いは、接近して位置するように構成されている。従って、後から倒された水平状態の長側壁２が、上方に持ち上げられても、係止ブロック９の上部外側角部９ｄが、底部１に配設されたヒンジ部材Ｈ１の係止フック７に形成された水平側壁持ち上がり防止用係止突起７ａの庇部７ａ１に当接し、水平状態の長側壁２のそれ以上の持ち上がりが阻止されるので、従って、底部１と水平状態の長側壁２とのヒンジ連結が解除されるようなことがない。
【００３３】
また、折り畳みコンテナーが、図１０及び図１１に示されているように、箱型に組み立てられ、長側壁２が、略垂直に立てられた状態においては、長側壁２に配設された雄ヒンジ部材Ｈ２を構成する係止ブロック部９の係止膨出部９ａが、底部１の長辺側土手部１ａに配設された雌ヒンジ部材Ｈ１を構成する係止フック７の庇部７ｂに当接、或いは、接近して位置するように構成されており、垂直状態の長側壁２が上方への持ち上げられた際には、長側壁２に配設された雄ヒンジ部材Ｈ２を構成する係止ブロック部９が、底部１の長辺側土手部１ａに配設された雌ヒンジ部材Ｈ１を構成する係止フック７の庇部７ｂに当接し、長側壁２のそれ以上の持ち上がりが阻止されので、従って、底部１と垂直状態の長側壁２とのヒンジ連結が解除されるようなことがない。
【００３４】
ところで、折り畳みコンテナーが折り畳まれて、長側壁２が水平状態にある場合には、図１２に示されているように、長側壁２に配設された雄ヒンジ部材Ｈ２を構成する係止ブロック部９が、底部１の長辺側土手部１ａに形成された雌ヒンジ部材Ｈ１を構成する係止フック７と雄ヒンジ部材Ｈ２の縦孔４を構成する外側垂直壁４ａとの間に位置することになるが、この状態から、略水平に倒された状態の長側壁２を、垂直方向に回動させた際に、図１３に示されているように、長側壁２に配設された雄ヒンジ部材Ｈ２を構成する係止ブロック部９が、底部１の長辺側土手部１ａに形成された雌ヒンジ部材Ｈ１を構成する係止フック７と外側垂直壁４ａの内面４ａ１とにより挟持されて、長側壁２の垂直方向への回動が阻止される場合がある。
【００３５】
本実施例においては、上述したような、長側壁２の垂直方向への回動が阻止されないように、図６等に示されているように、底部１の長辺側土手部１ａに配設されている雌ヒンジ部材Ｈ１を構成する縦孔４の外側垂直壁４ａと相対する係止フック７の垂直面７ｃと庇部７ｂとにより形成される角部７ｄを削除して、角部湾曲面７ｅを形成したものである。なお、角部湾曲面７ｅを傾斜面とすることもできる。
【００３６】
上述したように、底部１の長辺側土手部１ａに配設されている雌ヒンジ部材Ｈ１を構成する係止フック７の垂直面７ｃと庇部７ｂとにより形成される角部７ｄに、角部湾曲面７ｅが形成されているので、図９に示されている水平状態の長側壁２を、図１０に示されているように、略垂直に立てる長側壁２の回動過程において、図１４に示されているように、長側壁２に配設されている雄ヒンジ部材Ｈ２を構成する係止ブロック部９の上部外側角部９ｄが、底部１の長辺側土手部１ａに配設されている雌ヒンジ部材Ｈ１を構成する係止フック７の角部湾曲面７ｅに当接するとともに、雄ヒンジ部材Ｈ２を構成する支持ブロック８が、外側垂直壁４ａの内面４ａ１に当接していることによる反力により、雄ヒンジ部材Ｈ２を構成する係止ブロック部９の上部外側角部９ｄが、雌ヒンジ部材Ｈ１を構成する係止フック７の角部湾曲面７ｅに沿って、雌ヒンジ部材Ｈ１を構成する係止フック７の庇部７ｂに入り込むことができる。従って、水平状態の長側壁２を、略垂直に立てる際に、長側壁２に配設されている雄ヒンジ部材Ｈ２を構成する係止ブロック部９が、底部１の長辺側土手部１ａに配設されている雌ヒンジ部材Ｈ１を構成する係止フック７の庇部７ｂに、円滑に、入り込み、長側壁２の垂直方向への回動が阻止されるようなことがない。
【００３７】
図１５及び図１６には、雌ヒンジ部材Ｈ１を構成する係止フック７の角部７ｄに、角部湾曲面７ｅを形成する代わりに、長側壁２に配設されている雄ヒンジ部材Ｈ２を構成する係止ブロック部９の係止膨出部９ａの支持ブロック８の内面８ｂからの突出量を大きくしたものである。換言すれば、係止ブロック部９の厚さ（係止ブロック部９の外側垂直面９ｃと該外側垂直面９ｃに平行な内側垂直面９ｅとの間隔）Ｔ１を厚くして、水平状態における長側壁２の係止ブロック部９の内側垂直面９ｅが、底部１の長辺側土手部１ａに配設されている雌ヒンジ部材Ｈ１を構成する係止フック７の角部７ｄより、下方に位置するようにしたものである。
【００３８】
上述したように構成することにより、図１６に示されているように、長側壁２の垂直方向への回動の際に、長側壁２に配設されている雄ヒンジ部材Ｈ２を構成する係止ブロック部９の天面９ｂが、底部１の長辺側土手部１ａに配設されている雌ヒンジ部材Ｈ１を構成する係止フック７の角部７ｄに当接するとともに、雄ヒンジ部材Ｈ２を構成する支持ブロック８が、外側垂直壁４ａの内面４ａ１に当接していることによる反力により、雄ヒンジ部材Ｈ２を構成する係止ブロック部９の上部外側角部９ｄと相対する上部内側角部９ｆが、底部１の長辺側土手部１ａに配設されている雌ヒンジ部材Ｈ１を構成する係止フック７の庇部７ｂに入り込むことができる。従って、水平状態の長側壁２を、略垂直に立てる際に、長側壁２に配設されている雄ヒンジ部材Ｈ２を構成する係止ブロック部９が、底部１の長辺側土手部１ａに配設されている雌ヒンジ部材Ｈ１を構成する係止フック７の庇部７ｂに、円滑に、入り込み、長側壁２の垂直方向への回動が阻止されるようなことがない。
【００３９】
上述したように、底部１に配設された雌ヒンジ部材Ｈ１の係止フック７に、水平側壁持ち上がり防止用係止突起７ａを形成し、水平状態の長側壁２が持ち上げられた際には、長側壁２に配設された雄ヒンジ部材Ｈ２の係止ブロック部９が、水平側壁持ち上がり防止用係止突起７ａに当接し、また、垂直状態の長側壁２が持ち上げられた際には、長側壁２に配設された雄ヒンジ部材Ｈ２の係止ブロック部９が、底部１に配設された雌ヒンジ部材Ｈ１の係止フック７に当接するように構成したので、上述した特許文献１に記載されているような、支持片の下端部に、ヒンジブロックが形成され、また、ヒンジブロックの上方に、係合ブロックが形成されている雄ヒンジ部材のように、倒された状態の側壁を、垂直方向に立てる際に、係合ブロックが、底部の土手部に当接したり、或いは、土手部に乗り上げるようなことがなく、従って、倒された状態の長側壁２を、迅速に、且つ、確実に、略垂直に立てることができる。
【００４０】
また、長側壁２に配設された雄ヒンジ部材Ｈ２には、上述した特許文献１に記載されているような係合ブロックが形成されていないので、支持ブロック８の長側壁２の下端フランジ２ａからの長さを短くすることができ、従って、支持ブロック８、ひいては、雄ヒンジ部材Ｈ２が損傷するようなことを防止することができる。
【００４１】
更に、長側壁２に配設された雄ヒンジ部材Ｈ２の支持ブロック８には、上述した特許文献１に記載されているような係合ブロックが形成されていないので、長側壁２を成形するための金型の製造コストを低減することができる。
【図面の簡単な説明】
【００４２】
【図１】図１は、箱型に組み立てられた状態の本発明の折り畳みコンテナーの斜視図である。
【図２】図２は、折り畳まれた状態の本発明の折り畳みコンテナーの斜視図である。
【図３】図３は、本発明の折り畳みコンテナーを構成する底部の斜視図である。
【図４】図４は、本発明の折り畳みコンテナーを構成する長側壁の斜視図である。
【図５】図５は、本発明の折り畳みコンテナーを構成する底部に配設された雌ヒンジ部材の拡大斜視図である。
【図６】図６は、本発明の折り畳みコンテナーを構成する底部に配設された雌ヒンジ部材の部分垂直断面図である。
【図７】図７は、本発明の折り畳みコンテナーを構成する長側壁に配設された雄ヒンジ部材の拡大斜視図である。
【図８】図８は、同じく、本発明の折り畳みコンテナーを構成する長側壁に配設された雄ヒンジ部材の拡大斜視図である。
【図９】図９は、本発明の折り畳みコンテナーが折り畳まれた状態の底部の雌ヒンジ部材と長側壁の雄ヒンジ部材とによるヒンジ連結部の部分垂直断面図である。
【図１０】図１０は、本発明の折り畳みコンテナーが箱型に組み立てられた状態の底部の雌ヒンジ部材と長側壁の雄ヒンジ部材とによるヒンジ連結部の部分垂直断面図である。
【図１１】図１１は、本発明の折り畳みコンテナーが箱型に組み立てられた状態の底部の雌ヒンジ部材と長側壁の雄ヒンジ部材とによるヒンジ連結部の部分斜視図である。
【図１２】図１２は、本発明の別の実施例の折り畳みコンテナーが折り畳まれた状態の底部の雌ヒンジ部材と長側壁の雄ヒンジ部材とによるヒンジ連結部の部分垂直断面図である。
【図１３】図１３は、同じく、本発明の別の実施例の折り畳みコンテナーが折り畳まれた状態の底部の雌ヒンジ部材と長側壁の雄ヒンジ部材とによるヒンジ連結部の部分垂直断面図である。
【図１４】図１４は、図９と同様の底部の雌ヒンジ部材と長側壁の雄ヒンジ部材とによるヒンジ連結部の部分垂直断面図である。
【図１５】図１５は、本発明の更に別の実施例の折り畳みコンテナーが折り畳まれた状態の底部の雌ヒンジ部材と長側壁の雄ヒンジ部材とによるヒンジ連結部の部分垂直断面図である。
【図１６】図１６は、図１５と同様の本発明の更に別の実施例の折り畳みコンテナーが折り畳まれた状態の底部の雌ヒンジ部材と長側壁の雄ヒンジ部材とによるヒンジ連結部の部分垂直断面図である。
【符号の説明】
【００４３】
Ｈ１・・・・・・・・・・・・・・雌ヒンジ部材
Ｈ２・・・・・・・・・・・・・・雄ヒンジ部材
１・・・・・・・・・・・・・・・底部
２・・・・・・・・・・・・・・・長側壁
３・・・・・・・・・・・・・・・短側壁
７・・・・・・・・・・・・・・・係止フック
７ａ・・・・・・・・・・・・・・水平側壁持ち上がり防止用係止突起
７ｂ・・・・・・・・・・・・・・庇部
７ｃ・・・・・・・・・・・・・・角部湾曲面
８・・・・・・・・・・・・・・・支持ブロック
９・・・・・・・・・・・・・・・係止ブロック部
【図１】
0004939363.tif 000002
【図２】
0004939363.tif 000003
【図３】
0004939363.tif 000004
【図４】
0004939363.tif 000005
【図５】
0004939363.tif 000006
【図６】
0004939363.tif 000007
【図７】
0004939363.tif 000008
【図８】
0004939363.tif 000009
【図９】
0004939363.tif 000010
【図１０】
0004939363.tif 000011
【図１１】
0004939363.tif 000012
【図１２】
0004939363.tif 000013
【図１３】
0004939363.tif 000014
【図１４】
0004939363.tif 000015
【図１５】
0004939363.tif 000016
【図１６】
0004939363.tif 000017